(57)【特許請求の範囲】
【請求項１】
パチンコ球が流下する球通路と、球送り手段を有し該球送り手段を前記球通路に臨ませて設けられ水平方向を回転軸とする球送り回転体と、該球送り回転体を回転させる制御モーターとを備え、該制御モーターを駆動してパチンコ球を放出する遊技機において、
前記球送り手段には、パチンコ球を押し出す押出部と、前記球通路を流れるパチンコ球を受け止める球受け部とを形成し、
前記回転体に、前記球送り手段を回転方向に沿って等間隔に３つ設け、
前記球通路を流れるパチンコ球を、１つの球送り手段の球受け部で受け止め、前記制御モーターの駆動による前記球送り回転体の回転に従って、前記球受け部で受け止めたパチンコ球を前記球受け部に当接させつつ後続の球送り手段の押出部との間に降下させて受け入れた後、前記後続の球送り手段の押出部によりパチンコ球を送って放出するものであり、
パチンコ球の球圧が前記球送り回転体の上方から回転中心に向かって作用するように、上流側の前記球通路と前記球送り回転体の配置を設定すると共に、
前記球送り回転体の回転軸方向視において、該球送り回転体の回転軸から側方にずれた位置から鉛直下方に向かうよう下流側の前記球通路を配置し、前記球送り回転体が１つの球送り手段の球受け部で受け止めたパチンコ球を前記球受け部に当接させつつ後続の球送り手段の押出部との間に降下させて受け入れた位置にある場合には、前記１つの球送り手段の押出部により押し出されたパチンコ球が前記下流側の球通路を落下して放出されるようにしたことを特徴とする遊技機。
【発明の詳細な説明】
【０００１】
【産業上の利用分野】
本発明は、景品球や貸球を遊技客に払い出すパチンコ球放出装置に関する。
【０００２】
【従来の技術】
従来のパチンコ球放出装置は、パチンコ球導出樋とパチンコ球排出樋との間に設けられる球通路と、円盤の外周にパチンコ球が係合する係合爪を複数形成したスプロケット状の球制御用回転体と、該球制御用回転体を回転させるモーターとを有し、球制御用回転体の係合爪を前記球通路内に臨ましめ、球制御用回転体の回転角をモーターで制御しながら所望数のパチンコ球をパチンコ球排出樋に放出するものであった（特開昭６３−１６４９７７号等）。
【０００３】
【発明が解決しようとする課題】
上記パチンコ球放出装置は、例えば球制御用回転体の係合爪が球通路内に突入した状態にあり、パチンコ球の球圧が係合爪に加わり球制御用回転体に大きな回転力が作用してしまう問題点があった。
【０００４】
【課題を解決するための手段】
本発明は上記に鑑みなされたもので、パチンコ球が流下する球通路と、球送り手段を有し該球送り手段を前記球通路に臨ませて設けられ水平方向を回転軸とする球送り回転体と、該球送り回転体を回転させる制御モーターとを備え、該制御モーターを駆動してパチンコ球を放出する遊技機において、前記球送り手段には、パチンコ球を押し出す押出部と、前記球通路を流れるパチンコ球を受け止める球受け部とを形成し、前記回転体に、前記球送り手段を回転方向に沿って等間隔に３つ設け、前記球通路を流れるパチンコ球を、１つの球送り手段の球受け部で受け止め、前記制御モーターの駆動による前記球送り回転体の回転に従って、前記球受け部で受け止めたパチンコ球を前記球受け部に当接させつつ後続の球送り手段の押出部との間に降下させて受け入れた後、前記後続の球送り手段の押出部によりパチンコ球を送って放出するものであり、パチンコ球の球圧が前記球送り回転体の上方から回転中心に向かって作用するように、上流側の前記球通路と前記球送り回転体の配置を設定すると共に、前記球送り回転体の回転軸方向視において、該球送り回転体の回転軸から側方にずれた位置から鉛直下方に向かうよう下流側の前記球通路を配置し、前記球送り回転体が１つの球送り手段の球受け部で受け止めたパチンコ球を前記球受け部に当接させつつ後続の球送り手段の押出部との間に降下させて受け入れた位置にある場合には、前記１つの球送り手段の押出部により押し出されたパチンコ球が前記下流側の球通路を落下して放出されるようにした遊技機を提供する。
なお、ここで言う球圧が回転中心に向かって作用するようにというのは、多少ずれているとしてもほぼ中心に向かって作用するように球通路が設けられており、その「ずれ」に基づいて生ずる球圧による回転モーメントが球送り回転体を回転させるほどのものでない限りはよい。
【０００５】
【作用】
本発明におけるパチンコ球放出装置によれば、パチンコ球の球圧が球制御用回転体のほぼ回転中心に向かって作用するため、球制御用回転体に加わる回転力が軽減される。
【０００６】
【実施例】
以下に本発明の実施例を図面を参照しつつ説明する。なお、図１はパチンコ球放出装置の一部切欠斜視図、図２はパチンコ球放出装置の縦断正面図、図３は図２のＷ−Ｗ線断面図、図４（ａ）は要部の断面正面図、図４（ｂ）は図４（ａ）のＸ矢示図、図５（ａ）は図４（ａ）の状態から回転軸が６０度回転した状態を示す要部の断面正面図、図５（ｂ）は図５（ａ）のＹ矢示図、図６はパチンコ機の裏面図である。
【０００７】
図６において、パチンコ機Ｐの機構板１には、パチンコ球の流れ順に、パチンコ球を貯める球タンク２と、球タンク２のパチンコ球を流すパチンコ球導出樋３と、該パチンコ球導出樋３の流下端に接続するパチンコ球放出装置４と、該パチンコ球放出装置４に連通してパチンコ球を景品球や貸球として上球皿（図示せず）に導くパチンコ球排出樋５が設けられている。また、機構板１にはさらに、入賞したパチンコ球（入賞球）を集める入賞球集合樋６と、該入賞球集合樋６の入賞球を１個づつ処理して入賞信号を発する入賞球処理装置７が設けられている。
【０００８】
パチンコ球放出装置４は、前記のようにパチンコ球導出樋３とパチンコ球排出樋５の間に介装されており、２枚のプレート８ｆ，８ｒ間に形成した球通路９によって両樋３，５を結ぶ。球通路９は、上流側の入口通路９ａ，中間の球切り通路９ｂ，下流側の排出通路９ｃに区分される。入口通路９ａは、中央の仕切板９ｄを介して２列に区画された複列構造になっており、側面にパチンコ球検出用の近接スイッチ１０，１０を有する。一方、下流側の排出通路９ｃは、仕切のない単列構造であって図３に示すように、パチンコ球１個が通過可能な広さの通路をプレート８ｆ，８ｒの中央に配置したもので、下端に通過スイッチ１１を１個装着してなる。
【０００９】
球通路９の中間に位置する球切り通路９ｂには球制御用回転体１２が設けられている。球制御用回転体１２は、丸棒状の胴部１２ａ外周に１２０度間隔で３枚の係合爪１２ｂ，１２ｂ，１２ｂを突設して構成されるが、本実施例では２列の入口通路９ａに対応するために２組の球制御用回転体１２，１２が胴部１２ａを介して一体化されている。この２組の球制御用回転体１２は、互いの係合爪１２ｂ，１２ｂ…の角度が６０度づつずれるように設定されており、一方の球制御用回転体１２の係合爪１２ｂが図４（ａ）のＹ字状態であると、他方の球制御用回転体１２の係合爪１２ｂが図５（ａ）の逆Ｙ字状態になる。そして、後述するステッピングモーター１３の回転軸１３ａが６０度回転する毎に前記Ｙ字状態と逆Ｙ字状態が交互に入れ替わる。前記係合爪１２ｂ…の形状は、パチンコ球の押出側をその球面がフィットする凹弧形に、また、反対の背側を凸弧形にした半三日月形であり、その高さがパチンコ球より低く設定されている。
【００１０】
球制御用回転体１２は、図２，３のように入口通路９ａの中心直下に配置されている。球制御用回転体１２の胴部１２ａは、プレート８ｆに設置されたステッピングモーター１３の回転軸１３ａに固着されており、該ステッピングモーター１３の駆動によって球制御用回転体１２が図２中反時計回りに回転する。
【００１１】
而して、球制御用回転体１２は、前記のように、入口通路９ａの中心直下に位置しているから、パチンコ球を図２のように係合爪１２ｂ，１２ｂの間に載せた停止状態で、パチンコ球の球圧が球制御用回転体１２の回転中心に向かって作用する。そのため、球圧による回転モーメントが球制御用回転体１２に作用せず、従って、前記したウォームギヤのような制動手段がなくとも球制御用回転体１２が確実に停止している。なお、球圧を球制御用回転体１２の回転中心に向かわせるといっても現実には多少のずれが生じ得る。しかし、その「ずれ」によって生ずる回転モーメントが球制御用回転体１２を回転させる程のものでない限り作動上支障はない。
【００１２】
全係合爪１２ｂ，１２ｂ…の凸弧形の背にはプレート８ｆ，８ｒの中心に向かって傾斜するテーパ部１４ａが形成されている。そして、このテーパ部１４ａが、係合爪１２ｂの旋回領域内（球切り通路９ｂ）にあるパチンコ球に係合爪１２ｂの旋回面と直交する方向の力を作用させる横送り誘導手段１４を構成する。すなわち、球制御用回転体１２の回転に伴って球切り通路９ｂ内を流下するパチンコ球が係合爪１２ｂの背に載り、そのパチンコ球がテーパ部１４ａの傾斜に沿って仕切板９ｄ側に誘導されるのである。
【００１３】
なお、上記横送り誘導手段１４は、係合爪１２ｂにテーパ部１４ａを形成するものに限らない。例えば、図７に示すように、係合爪１２ｂをパチンコ球の中心に対して外側に片寄らせて配置してもよいし、或いは、図８，９に示すように、球切り通路９ｂに内向きのスロープ突起形態の誘導部１４ｂ，１４ｂを形成してパチンコ球を通路中央に向けて誘導してもよい。
【００１４】
前記ステッピングモーター１３は、プレート８ｆ，８ｒ間に差し渡した透過型光検出器１５によって位置検出する球制御用回転体１２を６０度づつ回転させるように制御される。該透過型光検出器１５は、２個１組の発光素子１５ａ，１５ａと、同じく２個１組の受光素子（図示せず）をフォトカプラ状に組み合わせたものであって、両球制御用回転体１２の係合爪１２ｂの外側に発光素子１５ａ，１５ａと受光素子を夫々配置し、係合爪１２ｂの通過に伴う光の透過・遮断で受光素子がＯＮ・ＯＦＦする信号を排他的論理和回路（イクスクルーシブ・オア）で受けるようにしたものである。そして、係合爪１２ｂの境界部分において２つの受光素子がＯＮ・ＯＦＦとに異なった場合にのみ排他的論理和回路から発せられる信号に基づいて係合爪１２ｂを検出すればよい。このように２個の信号を排他的論理和回路で受けてステッピングモーター１３を制御するようにするとノイズに強く、安定性に優れる効果がある。
【００１５】
なお、本実施例では、発光素子１５ａ，１５ａと受光素子の間隔が離れているため、両球制御用回転体１２，１２の係合爪１２ｂ，１２ｂ間に、透光用貫通孔１６を有する光連絡部材１７を設けている。透光用貫通孔１６は、単なる孔で良いが、その内部に光ファイバーを通してもよい。また、各係合爪１２ｂは、透過型光検出器１５の作動を確実にするため黒に着色されている。
【００１６】
また、プレート８ｆにはステッピングモーター１３取付用の割溝１８が形成されている。この割溝１８はステッピングモーター１３の回転軸１３ａが通るようになっており、ステッピングモーター１３の回転軸１３ａに球制御用回転体１２を先に組み付けてから該ステッピングモーター１３をプレート８ｆに装着することができる。これによって、パチンコ球放出装置４の組立作業が簡単になる。
【００１７】
次にパチンコ球放出装置４の放出動作について説明する。なお、本実施例では球制御用回転体１２が２組あるため、プレート８ｒ側の球制御用回転体１２について先ず説明する。
【００１８】
図４（ａ）に示すように、３つの係合爪１２ｂ，１２ｂ，１２ｂをＹ字状に停止させている状態では、上の２枚の係合爪１２ｂ，１２ｂの間にパチンコ球Ｂ１が止まり、このパチンコ球Ｂ１の重心が回転軸１３ａ上にあると、前記したように球圧が球制御用回転体１２の回転中心に向かって作用するため、該球制御用回転体１２に回転モーメントが働かない。
【００１９】
この状態でステッピングモーター１３の回転軸１３ａを図４（ａ）において反時計回りに回転させると、パチンコ球Ｂ１が２枚の係合爪１２ｂ，１２ｂに載ったまま同図鎖線のように動き始める。一旦動き始めたパチンコ球Ｂ１は、前方にある係合爪１２ｂの背に載って該係合爪１２ｂに球圧を加え、球制御用回転体１２の回転を補助する。係合爪１２ｂの背には、横送り誘導手段１４たるテーパ部１４ａが形成されているため、パチンコ球Ｂ１が図４（ｂ）鎖線のように入口通路９ａの仕切板９ｄ側に片寄った進路を取る。そして、回転軸１３ａが図４（ａ）の位置から６０度回転して図５（ａ）の位置に至ると、パチンコ球Ｂ１が入口通路９ａの仕切板９ｄによる支えを失い、図５（ｂ）のように係合爪１２ｂの横を通って球通路９のほぼ中央に向かって落下し、排出通路９ｃに排出されて通過スイッチ１１で検出される。このとき、パチンコ球Ｂ１の上にあるパチンコ球Ｂ２は係合爪１２ｂの背の先端上面で受けられて待機している。
【００２０】
一方、前記球制御用回転体１２の係合爪１２ｂが図４（ａ）の状態にあるとき、プレート８ｆ側にある球制御用回転体１２は図５（ａ）の状態になっていて、パチンコ球Ｂ３を係合爪１２ｂの背の先端上面で支えている。そして、回転軸１３ａが６０度回転すると３つの係合爪１２ｂ，１２ｂ，１２ｂが図４（ａ）のＹ字状態になり、上の２つの係合爪１２ｂ，１２ｂの間でパチンコ球Ｂ３を保持して次の回転を待つ。従って、回転軸１３ａがさらに６０度回転するとパチンコ球Ｂ３が放出される。
【００２１】
このように回転軸１３ａが６０度回転する毎に各球制御用回転体１２，１２から交互に１個づつパチンコ球が放出されるから、例えば、通常の１５個用の入賞信号に対しては回転軸１３ａを（２＋１／２）回転させればよい。同様に７個用の入賞信号に対しては回転軸１３ａを（１＋１／６）回転させ、また、図６に示したような球貸装置１８から２５個の球貸命令を受けた場合は回転軸１３ａを（４＋１／６）回転させればよい。なお、放出すべきパチンコ球が入口通路９ａにない場合は、近接スイッチ１０，１０からの信号によってステッピングモーター１３が作動しない。
【００２２】
以上本発明を実施例について説明したが、もちろん本発明は上記実施例に限定されるものではない。例えば、入口通路９ａを複数列に拡張し、それに対応して球制御用回転体１２を増設してもよい。このようにしたものは、大量のパチンコ球を高速でカウントする計数器に応用できる。
【００２３】
また、実施例では透過型光検出器１５によって係合爪１２ｂの回転を検出し、その信号でステッピングモーター１３を制御するようにしたが、回転軸１３ａに制御用の回転遮光板を付設し、その回転を透過型光検出器１５で検出してステッピングモーター１３を制御するようにしてもよい。また、本発明のパチンコ球放出装置４は、実施例に示したように真っ直ぐ垂直にして使用する以外に、球通路９を傾斜させた状態で使用してもよい。この場合でも球圧は回転軸１３ａに向かって作用する。また、球制御用回転体１２の係合爪１２ｂ…の枚数も特に限定されない。
【００２４】
【発明の効果】
本発明におけるパチンコ球放出装置によれば、パチンコ球の球圧が球制御用回転体のほぼ回転中心に向かって作用するため、球制御用回転体に加わる回転力が軽減される。
【図面の簡単な説明】
【図１】  パチンコ球放出装置の一部切欠斜視図である。
【図２】  パチンコ球放出装置の縦断正面図である。
【図３】  図２のＷ−Ｗ線断面図である。
【図４】  （ａ）は要部の断面正面図、（ｂ）は（ａ）のＸ矢示図である。
【図５】  （ａ）は図４（ａ）の状態から回転軸が６０度回転した状態を示す要部の断面正面図、（ｂ）は（ａ）のＹ矢示図である。
【図６】  パチンコ機の裏面図である
【図７】  他の実施例を示す縦断側面図である。
【図８】  他の実施例を示す縦断正面図である。
【図９】  図８のＺ−Ｚ線断面図である。
【符号の説明】
９    …球通路
９ａ  …入口通路（上流側の球通路）
９ｂ  …排出通路（下流側の球通路）
１２  …球制御用回転体（球送り回転体）
１２ｂ…係合爪（球送り手段）
１３  …ステッピングモーター（制御モーター）
１３ａ…回転軸
Ｂ１，Ｂ２，Ｂ３…パチンコ球
【図１】
0003891779.tif 000002
【図２】
0003891779.tif 000003
【図３】
0003891779.tif 000004
【図４】
0003891779.tif 000005
【図５】
0003891779.tif 000006
【図６】
0003891779.tif 000007
【図７】
0003891779.tif 000008
【図８】
0003891779.tif 000009
【図９】
0003891779.tif 000010